(57)【要約】【課題】異なる色に着色された投票用紙の混入を自動的に検出することを実現した投票用紙の分類装置を提供する。【解決手段】投票用紙の分類装置１は、赤色、緑色及び青色の光を投票用紙２に照射するＬＥＤ１３ａ〜１３ｃと、投票用紙２からの反射光を受光して受光量を検知するセンサ１６とを備えている。分類装置１は、正規の投票用紙から検知された受光量に基づく基準色情報Ｓｒと、判定対象となる投票用紙から検知された受光量に基づく評価色情報Ｓｅとを生成する色情報生成部２２と、基準色情報Ｓｒと評価色情報Ｓｅとを比較して、正規の投票用紙と判定対象となる投票用紙との色の違いを判定する判定部２４とを有する。【選択図】図３
2012043367.tif 000002
【特許請求の範囲】
【請求項１】
投票用紙を記入内容に基づいて分類する投票用紙の分類装置において、
互いに異なる色の光を投票用紙に照射する複数の発光手段と、
前記複数の発光手段が照射する各色の光に対する前記投票用紙からの反射光を受光して、各色の反射光の受光量を検知する受光手段と、
前記受光手段が検知した各色の反射光の受光量に基づいて、前記投票用紙の色情報を生成する色情報生成部と、
予め与えられた正規の投票用紙における前記色情報である正規色情報と、判定対象となる投票用紙における前記色情報である評価色情報とを比較して、前記正規の投票用紙の色と前記判定対象となる投票用紙の色とが一致するかどうかを判定する判定手段と
を備えることを特徴とする投票用紙の分類装置。
【発明の詳細な説明】
【技術分野】
【０００１】
この発明は投票用紙の分類装置に関する。
【背景技術】
【０００２】
特許文献１には、選挙の開票時に投票用紙を自動的に分類するための分類装置が記載されている。これによれば、分類装置は、投票用紙に記入された候補者名や政党名等の記入内容を画像として取得する読取部を備えている。また、分類装置は、読取部が取得した画像から記入内容を認識する認識・制御部を備えており、この認識・制御部による認識結果に基づいて、記入内容に応じた投票用紙の分類が行われる。
【先行技術文献】
【特許文献】
【０００３】
【特許文献１】特開２００４−５０２２号公報
【発明の概要】
【発明が解決しようとする課題】
【０００４】
ここで、近年では複数の選挙の投票日が同一日程となることがあり、この場合、各選挙の開票作業を同一会場で行うことが多い。したがって、異なる選挙の投票用紙が混入することを防止するため、また、混入した場合の確認を行いやすくするため、互いに異なる色に着色された投票用紙を選挙毎に用いる場合がある。しかしながら、特許文献１に記載の分類装置では、投票用紙の色の違いを検出することはできないため、投票用紙の混入の有無を開票担当者が目視にて確認する作業が必要になるという問題点を有していた。
【０００５】
この発明は、このような問題点を解決するためになされたもので、異なる色に着色された投票用紙の混入を自動的に検出することを実現した投票用紙の分類装置を提供することを目的とする。
【課題を解決するための手段】
【０００６】
この発明に係る投票用紙の分類装置は、投票用紙を記入内容に基づいて分類する投票用紙の分類装置において、互いに異なる色の光を投票用紙に照射する複数の発光手段と、複数の発光手段が照射する各色の光に対する投票用紙からの反射光を受光して、各色の反射光の受光量を検知する受光手段と、受光手段が検知した各色の反射光の受光量に基づいて、投票用紙の色情報を生成する色情報生成部と、予め与えられた正規の投票用紙における色情報である正規色情報と、判定対象となる投票用紙における色情報である評価色情報とを比較して、正規の投票用紙の色と判定対象となる投票用紙の色とが一致するかどうかを判定する判定手段とを備えることを特徴とするものである。
【発明の効果】
【０００７】
この発明に係る投票用紙の分類装置によれば、互いに異なる色の光を投票用紙に照射する複数の発光手段と、複数の発光手段が照射する各色の光に対する投票用紙からの反射光を受光して、各色の反射光の受光量を検知する受光手段と、受光手段が検知した各色の反射光の受光量に基づいて、投票用紙の色情報を生成する色情報生成部と、予め与えられた正規の投票用紙における色情報である正規色情報と、判定対象となる投票用紙における色情報である評価色情報とを比較して、正規の投票用紙の色と判定対象となる投票用紙の色とが一致するかどうかを判定する判定手段とを備えるため、異なる色に着色された投票用紙の混入を自動的に検出することが可能となる。
【図面の簡単な説明】
【０００８】
【図１】この発明の実施の形態１に係る投票用紙の分類装置の構成を概略的に示す断面側面図である。
【図２】実施の形態１に係る投票用紙の分類装置における発光手段及び受光手段の周辺の構成を示す概略図である。
【図３】実施の形態１に係る投票用紙の分類装置における検出手段の構成を示す概略図である。
【図４】実施の形態１に係る投票用紙の分類装置における学習モードの処理を説明するためのフローチャートである。
【図５】実施の形態１に係る投票用紙の分類装置における検出モードの処理を説明するためのフローチャートである。
【発明を実施するための形態】
【０００９】
以下に、この発明の実施の形態について添付図に基づいて説明する。
実施の形態１．
図１に、この実施の形態１に係る投票用紙の分類装置１（以下、「分類装置１」と略称する）を示す。分類装置１は、選挙の投票用紙を候補者名や政党名等の記入内容に応じて分類する装置であって、分類の対象となる複数の投票用紙２が載置されるホッパ３と、分類された投票用紙２が収容される複数のスタッカ４とを備えている。ホッパ３と各スタッカ４とは、複数のローラ５ａから構成される搬送路５を介して接続されており、各ローラ５ａが回転すると、投票用紙２が矢印Ａ１〜Ａ４で示される方向に順次搬送されるようになっている。また、分類装置１は、投票用紙２の分類結果等を表示するモニタ６を備えている。
【００１０】
搬送路５の途中には、投票用紙２の記入内容を認識するとともに、投票用紙２の色を検知するためのイメージセンサ１１が配置されている。図２に示すように、イメージセンサ１１は本体部１２を備えており、本体部１２の内部には、発光手段としての３つのＬＥＤ１３ａ〜１３ｃが設けられている。ＬＥＤ１３ａ〜１３ｃは互いに異なる色の光、具体的にはＬＥＤ１３ａが赤色の光、ＬＥＤ１３ｂが緑色の光、ＬＥＤ１３ｃが青色の光を発するようになっている。尚、本体部１２は、搬送路５に沿って搬送される投票用紙２に向かって開放された空間である収容部１２ａを有しており、ＬＥＤ１３ａ〜１３ｃは、収容部１２ａ内に設けられた導光板１４に支持されている。導光板１４は透明な材料から形成された部材であって、ＬＥＤ１３ａ〜１３ｃが発する光は、矢印Ｂ１で示すように導光板１４を通って投票用紙２に照射されるようになっている。
【００１１】
また、本体部１２は、投票用紙２に向かって開放された空間である収容部１２ｂを有しており、収容部１２ｂの内部にも透明な材料からなる導光板１５が設けられている。収容部１２ｂの奥側に位置する導光板１５の端部には、受光手段としてのセンサ１６が設けられている。ＬＥＤ１３ａ〜１３ｃが照射した光は、矢印Ｂ２で示すように投票用紙２で反射され、その反射光は、導光板１５を通ってセンサ１６に到達するようになっている。センサ１６は、投票用紙２からの反射光を受光して受光量を検知するとともに、検知した受光量を以下に説明する演算ユニット２１に出力する。尚、各ＬＥＤ１３ａ〜１３ｃは制御部１７に電気的に接続されており、制御部１７によって光の照射の開始及び停止を制御されるようになっている。
【００１２】
図３に概略的に示すように、イメージセンサ１１のセンサ１６には、異なる色に着色された投票用紙の混入を検出するための演算ユニット２１が接続されている。演算ユニット２１は、色情報生成部２２、記憶部２３及び判定部２４から構成されている。色情報生成部２２には、センサ１６が接続されており、センサ１６によって検知された受光量、すなわち、各ＬＥＤ１３ａ〜１３ｃが照射した３色の光である赤色、緑色及び青色の光に対する投票用紙２からの反射光の受光量が入力されるようになっている。色情報生成部２２は、これらの各色の受光量を色情報として生成するものである。
【００１３】
記憶部２３は、正規の投票用紙における色情報を、基準色情報Ｓｒとして記憶するものである。また、判定部２４は、基準色情報Ｓｒと、判定対象となる投票用紙の色情報として色生成部によって生成される評価色情報Ｓｅとを比較して、赤色、緑色及び青色の各受光量や各受光量の比率等に基づいて、正規の投票用紙の色と判定対象となる投票用紙の色とが一致しているかどうかを判定するものである。
【００１４】
次に、この実施の形態１に係る分類装置１を用いて、異なる色に着色された投票用紙の混入を検出する方法について説明する。
分類装置１は、正規の投票用紙における基準色情報Ｓｒを生成して記憶する学習モードと、判定対象となる投票用紙の評価色情報Ｓｅを生成するとともに、基準色情報Ｓｒと評価色情報Ｓｅとの比較を行う判定モードとの二種類の動作モードで動作するようになっており、これらの動作モードを順次行うことによって、異なる色に着色された投票用紙の混入が検出される。
【００１５】
まず、学習モードを開始するため、分類装置１の操作者によって正規の投票用紙がホッパ３（図１参照）上に載置される。次いで、操作者が図示しない操作スイッチを操作することにより、学習モードが開始される。学習モードが開始されると、搬送路５を構成する各ローラ５ａが回転を開始し、ホッパ３上に載置された正規の投票用紙が搬送路５によってイメージセンサ１１に供給される。正規の投票用紙がイメージセンサ１１に供給されると、図４に示されるフローチャートに沿った処理が行われる。
【００１６】
まず、制御部１７（図２参照）から出力される指令信号に基づいて、イメージセンサ１１の各ＬＥＤ１３ａ〜１３ｃによる各色の光の照射の開始及び照射の停止が順次行われる。センサ１６は、各ＬＥＤ１３ａ〜１３ｃが順次照射する各色の光に対する投票用紙からの反射光を受光して、その受光量をそれぞれ検知する（Ｓ１０１）。
【００１７】
次いで、センサ１６によって検知された各色の受光量が色情報生成部２２に送られ、色情報生成部２２によって基準色情報Ｓｒが生成される（Ｓ１０２）。基準色情報Ｓｒは、ＬＥＤ１３ａが照射した赤色の光の受光量Ｆ１１、ＬＥＤ１３ｂが照射した緑色の光の受光量Ｆ１２、及びＬＥＤ１３ｃが照射した青色の光の受光量Ｆ１３の相対強度として生成されている。このように生成された基準色情報Ｓｒは記憶部２３に記憶され（Ｓ１０３）、学習モードが終了する。
【００１８】
以上のように学習モードが終了すると、判定モードが開始される。分類装置１の操作者は、判定モードを開始するため、判定対象となる複数の投票用紙２、すなわち投票者による記入が行われた複数の投票用紙２をホッパ３（図１参照）上に載置するとともに、図示しない操作スイッチを操作することによって判定モードを開始させる。判定モードが開始されると、各ローラ５ａが回転を開始し、それにより、ホッパ３上に載置された複数の投票用紙２が、搬送路５を介して一枚ずつイメージセンサ１１に搬送される。次いで、図５に示されるフローチャートに沿った処理が行われる。
【００１９】
まず、学習モードと同様に、制御部１７（図２参照）から出力される指令信号に基づいて、イメージセンサ１１の各ＬＥＤ１３ａ〜１３ｃによる各色の光の照射の開始及び照射の停止が順次行われる。センサ１６は、各ＬＥＤ１３ａ〜１３ｃが順次照射する各色の光に対する投票用紙２からの反射光を受光して、その受光量をそれぞれ検知する（Ｓ２０１）。次いで、センサ１６によって検知された各色の受光量が色情報生成部２２に送られ、色情報生成部２２によって評価色情報Ｓｅが生成される（Ｓ２０２）。評価色情報Ｓｅは、基準色情報Ｓｒと同様に、ＬＥＤ１３ａが照射した赤色の光の受光量Ｆ２１、ＬＥＤ１３ｂが照射した緑色の光の受光量Ｆ２２、及びＬＥＤ１３ｃが照射した青色の光の受光量Ｆ２３の相対強度として生成されている。
【００２０】
以上のように評価色情報Ｓｅが生成されると、記憶部２３に記憶された基準色情報Ｓｒと評価色情報Ｓｅとの比較が判定部２４によって行われる（Ｓ２０３）。判定部２４は、表１に示されるように、基準色情報Ｓｒと評価色情報Ｓｅとを各色の受光量や各受光量の比率等に基づいて比較し、正規の投票用紙の色と判定対象となる投票用紙の色とが一致しているかどうかを判定する。ここで、基準色情報Ｓｒ及び評価色情報Ｓｅの例を表１を用いて示す。
【００２１】
【表１】
2012043367.tif 000003
【００２２】
表１に示されるように、基準色情報Ｓｒの各受光量Ｆ１１、Ｆ１２、Ｆ１３がそれぞれ５、４、８という相対強度を有し、評価色情報Ｓｅ１のＦ２１、Ｆ２２、Ｆ２３がそれぞれ６、４．５、９という相対強度を有している場合、評価色情報Ｓｅ１における各色の受光量や各受光量の比率は、基準色情報Ｓｒを基準にして設定される閾値内に含まれている。したがって、この場合、判定部２４は、正規の投票用紙の色と判定対象となる投票用紙の色とが一致する判定し（Ｓ２０４）、この投票用紙２は、記入内容に基づいたスタッカ４（図１参照）に搬送される。
【００２３】
一方、評価色情報Ｓｅ２のＦ２１、Ｆ２２、Ｆ２３がそれぞれ３、６、４という相対強度を有している場合、基準色情報Ｓｒにおける各受光量の比率と、評価色情報Ｓｅ１における各受光量の比率とが所定の閾値の範囲を超えるため、判定部２４は、正規の投票用紙の色と判定対象となる投票用紙の色とが一致しないと判定し、この投票用紙２がリジェクトされる。また、評価色情報Ｓｅ３のＦ２１、Ｆ２２、Ｆ２３がそれぞれ９、４、８という相対強度を有している場合、赤色の受光量に基づくＦ２１の値９は、基準色情報ＳｒにおけるＦ２１、閾値を超えて高くなっているため、判定部２４は、正規の投票用紙の色と判定対象となる投票用紙の色とが一致しないと判定する（Ｓ２０５）。
【００２４】
以上のように、本発明によれば、互いに異なる色の光を投票用紙に照射する複数の発光手段と、複数の発光手段が照射する各色の光に対する投票用紙からの反射光を受光して、各色の反射光の受光量を検知する受光手段と、受光手段が検知した各色の反射光の受光量に基づいて、投票用紙の色情報を生成する色情報生成部と、予め与えられた正規の投票用紙における色情報である正規色情報と、判定対象となる投票用紙における色情報である評価色情報とを比較して、正規の投票用紙の色と判定対象となる投票用紙の色とが一致するかどうかを判定する判定手段とを備えるため、異なる色に着色された投票用紙の混入を自動的に検出することが可能となる。
【符号の説明】
【００２５】
１  投票用紙の分類装置、２  投票用紙、１３ａ，１３ｂ，１３ｃ  ＬＥＤ（発光手段）、１６  センサ（受光手段）、２２  色情報生成部（色情報生成手段）、２４  判定部（判定手段）、Ｓｒ  基準色情報、Ｓｅ  評価色情報。
【図１】
2012043367.tif 000004
【図２】
2012043367.tif 000005
【図３】
2012043367.tif 000006
【図４】
2012043367.tif 000007
【図５】
2012043367.tif 000008